【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
臨床検査室情報システム（ＬＩＳ）と共に用いる方法であって、以下を含む方法：
データベースから前記ＬＩＳにおいてサンプルデータを受け取ることであって、前記サンプルデータは、前記ＬＩＳの物理的な場所から遠隔の物理的な場所における、少なくとも１つのサンプル処理ユニットに由来し、前記データベースは、前記ＬＩＳから遠隔の場所の計算機器上に駐在し、
前記サンプルデータは、前記ＬＩＳを含むデータネットワークに到達する前に１つ以上の広域ネットワークを介して少なくとも１つのデータ経路を通過する。
【請求項２】
前記サンプル処理ユニットからのサンプルデータを、少なくとも２つの因子について、前記データベースからの前記サンプルデータを処理する前に、本物であることを確認することを更に含む、請求項１に記載の方法。
【請求項３】
前記サンプルデータを、前記データベースに保存される、処理されたサンプルデータを提供するために処理することを更に含み、処理されたサンプルデータは前記ＬＩＳに送信される、請求項１に記載の方法。
【請求項４】
前記サンプルデータを前記データベースに保存するために、前記サンプルデータの解釈を提供するために処理することを更に含む請求項１に記載の方法。
【請求項５】
サンプルデータの信ぴょう性が本物であることを確認することの１つの因子として、少なくとも１つの検定校正器  からのデータを用いることを更に含む請求項１に記載の方法。
【請求項６】
少なくとも１つの参照からのデータを、サンプルデータの信ぴょう性が本物であることを確認することを更に含み、前記参照は、所定の結果を提供することが知られている構成要素を含む、請求項１に記載の方法。
【請求項７】
前記サンプルデータを前記データベースから受け取り、及び次いで前記ＬＩＳに転送するために、前記ＬＩＳ及び前記データベースと、操作可能に通信するリスナー・アプリケーションを用いる、請求項１に記載の方法。
【請求項８】
前記サンプルデータを前記データベースから受け取り、及び次いで前記ＬＩＳに転送するために、前記ＬＩＳ及び前記データベースと、操作可能に通信するリスナー・アプリケーションを用いる、請求項１に記載の方法。
【請求項９】
以下を含む臨床検査室システム：
複数の分散された、サンプル処理ユニットであって、それぞれが、少なくとも１つのコンピュータ・ネットワーク上で通信するための、少なくとも１つのインターフェースを有し；
前記分散されたサンプル処理ユニットにより処理されたサンプルについての試験結果を収集するために構成された臨床検査室情報システム；
サンプル処理データを、前記分散されたサンプル処理ユニットの少なくとも１つから受け取るためのインターフェースを含むサーバー；
前記サーバーと操作可能に通信状態にあり、及び前記臨床検査室情報システムと操作可能に通信状態にある、プログラム可能なドライブ上のクライアント・アプリケーションであって、それにより前記サーバーが、前記クライアント・アプリケーションと対にされた、それらのサンプル処理ユニットからのみ、サンプル処理データを提供し；
前記クライアント・アプリケーションは、前記サンプル処理ユニットを制御するために、及び１つ以上のサンプル処理ユニットの操作状況を監視するために指示が送られることを可能にし、それにより、前記サンプル処理ユニットを制御し及び監視するために、前記サンプル処理ユニットの認証された監視が、前記クライアント・アプリケーションを介して提供される。
【請求項１０】
前記クライアント・アプリケーションが、前記サーバーへの通信を通じて、操作可能に前記分散されたサンプル処理ユニットと、通信状態にある、請求項９に記載のシステム。
【手続補正２】
【補正対象書類名】明細書
【補正対象項目名】００２３
【補正方法】変更
【補正の内容】
【００２３】
この要旨は、以下の発明の詳細な説明で更に記載される概念の単純化された形態における選択を紹介するために提供される。この要旨は、主張される主題の主要な特徴又は本質的な特性を特定することを意図しておらず、主張される主題の範囲を限定するために用いられることを意図していない。
本発明は、例えば、以下を提供する。
（項目１）
臨床検査室情報システム（ＬＩＳ）と共に用いる方法であって、以下を含む方法：
データベースから前記ＬＩＳにおいてサンプルデータを受け取ることであって、前記サンプルデータは、前記ＬＩＳの物理的な場所から遠隔の物理的な場所における、少なくとも１つのサンプル処理ユニットに由来し、前記データベースは、前記ＬＩＳから遠隔の場所の計算機器上に駐在し、
前記サンプルデータは、前記ＬＩＳを含むデータネットワークに到達する前に１つ以上の広域ネットワークを介して少なくとも１つのデータ経路を通過する。
（項目２）
前記サンプル処理ユニットからのサンプルデータを、少なくとも２つの因子について、前記データベースからの前記サンプルデータを処理する前に、本物であることを確認することを更に含む、項目１に記載の方法。
（項目３）
前記サンプルデータを、前記データベースに保存される、処理されたサンプルデータを提供するために処理することを更に含み、処理されたサンプルデータは前記ＬＩＳに送信される、項目１に記載の方法。
（項目４）
前記サンプルデータを前記データベースに保存するために、前記サンプルデータの解釈を提供するために処理することを更に含む項目１に記載の方法。
（項目５）
サンプルデータの信ぴょう性が本物であることを確認することの１つの因子として、少なくとも１つの検定校正器  からのデータを用いることを更に含む項目１に記載の方法。
（項目６）
少なくとも１つの参照からのデータを、サンプルデータの信ぴょう性が本物であることを確認することを更に含み、前記参照は、所定の結果を提供することが知られている構成要素を含む、項目１に記載の方法。
（項目７）
前記サンプルデータを前記データベースから受け取り、及び次いで前記ＬＩＳに転送するために、前記ＬＩＳ及び前記データベースと、操作可能に通信するリスナー・アプリケーションを用いる、項目１に記載の方法。
（項目８）
前記サンプルデータを前記データベースから受け取り、及び次いで前記ＬＩＳに転送するために、前記ＬＩＳ及び前記データベースと、操作可能に通信するリスナー・アプリケーションを用いる、項目１に記載の方法。
（項目９）
臨床検査室情報システム（ＬＩＳ）と共に用いる方法であって、以下を含む方法：
前記ＬＩＳと操作可能に通信するリスナー・アプリケーションにおいて、サンプルデータを受け取ることであって、前記サンプルデータは、前記ＬＩＳの物理的な場所から遠隔の物理的な場所における、少なくとも１つのサンプル処理ユニットに由来し、前記データベースは、前記ＬＩＳから遠隔の場所の計算機器上に駐在し、
及び前記リスナー・アプリケーションにより受け取られる前記サンプルデータは前記データベースから送信され；
前記サンプルデータは、前記ＬＩＳを含むデータネットワークに到達する前に１つ以上の広域ネットワークを介して少なくとも１つのデータ経路を通過する。
（項目１０）
臨床検査室情報システム（ＬＩＳ）と共に用いる方法であって、以下を含む方法：
臨床検査室に関連付けられた生物学的サンプルのためのサンプルデータが、複数のサンプル処理ユニット(SPU)の少なくとも１つから、データベースにアップロードされることを示す、少なくとも１つのインジケーターを監視すること;
前記データベースから、前記サンプルデータを前記LISにおいて受け取ることであって
、前記サンプルデータは、前記ＬＩＳの物理的な場所から遠隔の物理的な場所における、少なくとも１つのサンプル処理ユニットに由来し、前記データベースは、前記ＬＩＳから遠隔の場所の計算機器上に駐在し、
前記サンプルデータは、前記ＬＩＳを含むデータネットワークに到達する前に１つ以上の広域ネットワークを介して少なくとも１つのデータ経路を通過する。
（項目１１）
臨床検査室データ管理システムと共に用いる方法であって、以下を含む方法:
前記臨床検査室に関連付けられたサンプルデータがデータベースにアップロードされたことを確認するために、少なくとも１つのデータベースを監視することであって、前記サンプルデータは、前記臨床検査室データ管理  システムの物理的場所からは遠隔の物理的場所の複数のサンプル処理ユニット(SPU)の少なくとも１つに由来し;  
前記臨床検査室データ管理  システムにおいて、前記データベースから、電子的フォーマット  にある前記サンプルデータを受け取ることであって、前記データベースは、前記臨床検査室データ管理  システムの物理的場所からは遠隔の物理的場所の計算機器上にあり、
前記サンプルデータは、前記臨床検査室データ管理  システムを含むデータネットワークに到達する前に、１つ以上の広域ネットワークを介して少なくとも１つのデータ経路を通過する。
（項目１２）
以下を含む方法：
臨床検査室情報システム（ＬＩＳ）において、電子的フォーマットにあるサンプルデータを受け取ることであって、前記サンプルデータは、前記臨床検査室情報システムの物理的場所からは遠隔の物理的場所の、サンプル処理ユニット（ＳＰＵ）の少なくとも１つに由来し；及び前記データは、前記臨床検査室情報システムに到達する前に、１つ以上の広域ネットワークを横断し；
前記サンプルデータの完全性を検証すること；
前記サンプルデータが前記臨床検査室情報システムに受け取られた後の時点で前記サンプルデータが、臨床検査室情報システムのファイル形式にあることを、確実にすること；及び
電子的医療記録システムに、電子的医療記録システム及び前記臨床検査室情報システムの間のインターフェースの手段により、データを保存することであって、前記データを保存することは、前記データが、前記ＬＩＳファイル形式とは異なる、電子的医療記録システム（ＥＭＲ）ファイル形式にあることを確実にすることを、更に含む。
（項目１３）
前記サンプル処理ユニットが、互いに物理的に離れており、及び前記サンプル処理ユニットの少なくとも１つから、前記臨床検査室情報システムへのデータ経路が：ａ）少なくとも１つの広域ネットワーク、ｂ）前記サンプル処理データを収集する中央データベース、及びｃ）サンプル処理中央データベースからのデータを、対にされたサンプル処理ユニットデータのために処理するために構成されたリスナー・アプリケーションを横断することを含む、項目４に記載の方法。
（項目１４）
検証することが、公開鍵秘密暗号化及び暗号解読を用いることを含む、項目４に記載の方法。
（項目１５）
検証することが、証明書が本物であることを認証するために、少なくとも１つの証明書を用いることを含む、項目４に記載の方法。
（項目１６）
証明書の認証が、証明書の著者が本物であることを確認することを含む、項目４に記載の方法。
（項目１７）
検証することが、前記分散されたサンプル処理ユニットの監視を含むために、認証された臨床検査室からの検査の完全性の監視を拡大する、項目４に記載の方法。
（項目１８）
前記臨床検査室情報システムのファイル形式及び前記電子的医療記録システムファイル形式が、異なる、項目４に記載の方法。
（項目１９）
分散された臨床検査室システムにおいて、データを収集する方法であって、以下を含む方法：
電子的サンプルデータを、最終分析なしで、複数の分散された、サンプル処理ユニットの少なくとも１つからコンピュータ・ネットワーク上での通信のためのインターフェースを有する臨床検査室情報システムへ送信することであって；
前記サンプル処理ユニットの１つから前記臨床検査室情報システムへの、サンプルデータのデータ経路は、少なくとも１つの広域ネットワーク（ＷＡＮ）を横断することを含み、前記データ経路に沿った前記データは、少なくとも：複数のサンプル処理ユニットから前記サンプル処理データを収集する中央データベース、及び対にされたサンプル処理ユニットデータのために、中央データベースからのデータを処理するために構成されたリスナー・アプリケーションにより取り扱われる。
（項目２０）
分散された臨床検査室システムにおいて、データを収集する方法であって、以下を含む方法：
複数の分散されたサンプル処理ユニットの少なくとも１つからの電子的サンプルデータを、最終分析なしで、コンピュータ・ネットワーク上での通信のためのインターフェースを有する臨床検査室情報システムにおいて受信することであって；
前記サンプル処理ユニットの１つから前記臨床検査室情報システムへの、サンプルデータのデータ経路は、少なくとも１つの広域ネットワーク（ＷＡＮ）を横断することを含み前記データ経路に沿った前記データは、少なくとも：複数のサンプル処理ユニットから前記サンプル処理データを収集する中央データベース、及び対にされたサンプル処理ユニットデータのために、中央データベースからのデータを処理するために構成されたリスナー・アプリケーションにより取り扱われる。
（項目２１）
分散された臨床検査室システムの方法であって、以下を含む方法：
非ローカルの、遠隔に配置された生物学的サンプル処理ユニットから、臨床検査室情報システムにデータを差し向けるための、コンピュータにより遂行されるアプリケーションを用いることであって、前記コンピュータにより遂行されるアプリケーションは、１つ以上の非ローカルのサンプル処理ユニットに由来するデータを収集するために対にされ；
前記サンプル処理ユニット及び前記リスナー・アプリケーションからのデータの対を検証するために証明書の認証を用いることであって；
前記サンプル処理ユニットから前記臨床検査室情報システムへのサンプル処理データのためのデータ経路は、少なくとも１つの広域ネットワークを含み；
前記サンプル処理ユニットに由来するデータは、前記臨床検査室情報システムへの前記データ経路に沿った送信の一部として、データベースサーバーにアップロードされる。
（項目２２）
前記データ経路が、開始場所及び目的地の場所の間の間接的な接続を含む、上記の項目のいずれか１つに記載の方法。
（項目２３）
結果が、電子的医療記録システムで利用可能になる前に、前記臨床検査室情報システムに入力される、上記の項目のいずれか１つに記載の方法。
（項目２４）
結果が、電子的医療記録（ＥＭＲ）システムで利用可能になる前に、結果が免許を受けた専門家により、認証される、上記の項目のいずれか１つに記載の方法。
（項目２５）
前記結果を第一に前記LISに入力し、次いで前記EMRと統合する方法により、前記EMRに
結果が入力される、上記の項目のいずれか１つに記載の方法。
（項目２６）
前記サンプル処理ユニッが臨床検査室の免責された機器であり、結果が前記EMRにおい
て利用可能になる前に、LISにより検査される、上記の項目のいずれか１つに記載の方
法。
（項目２７）
臨床検査室から前記分散されたサンプル処理ユニットへの監視を提供することを、更に含む、上記の項目のいずれか１つに記載の方法。
（項目２８）
前記サンプル処理ユニットの１つ以上の上で、参照が実行されるときをチェックすることを更に含む、上記の項目のいずれか１つに記載の方法。
（項目２９）
前記サンプル処理ユニットの１つ以上に、校正器を実行するか、又は校正器  を実行するるか、又は制御カートリッジ  を実行されるまで、それを閉鎖するか、又はオフラインに連れてゆくことを指示するために、前記サンプル処理ユニットに、品質管理を押し出すことを更に含む、上記の項目のいずれか１つに記載の方法。
（項目３０）
前記サンプル処理ユニットに、誰かが校正器を実行するまで、それらの１つ以上を閉鎖するように指示するために、品質管理を押し出すことを更に含む、上記の項目のいずれか１つに記載の方法。
（項目３１）
前記サンプル処理ユニットに、制御カートリッジを実行するまで、それらの１つ以上を閉鎖するように指示するために、品質管理を押し出すことを更に含む、上記の項目のいずれか１つに記載の方法。
（項目３２）
前記クライアント・アプリケーションが、ＬＩＳに前記サンプル処理データを、前記サンプル処理ユニットから送信するために、物理的な有線接続が必要ない、上記の項目のいずれか１つに記載の方法。
（項目３３）
ＬＩＳへの接続が、データ・ブローカーなしで、無線である、上記の項目のいずれか１つに記載の方法。
（項目３４）
ＬＩＳへの接続が、データ・ブローカーとして機能するための、クラウドサーバーを用いる、上記の項目のいずれか１つに記載の方法。
（項目３５）
ＬＩＳへの接続が、非ローカルのコンピュータ・ネットワーク上の特定のサンプル処理ユニットを特定のリスナー・アプリケーションに関連付ける組み合わゼ機構を用いる、上記の項目のいずれか１つに記載の方法。
（項目３６）
どのマシンが前記環境にあるかを、管理者が設定する、上記の項目のいずれか１つに記載の方法。
（項目３７）
管理者  が、どのサンプル処理ユニットが、指定された環境にあるかを見るために、ネットワークを検索する、上記の項目のいずれか１つに記載の方法。
（項目３８）
同じＬＡＮ上にない場合でも、それでもＷＡＮ上においてアクセスできる、上記の項目のいずれか１つに記載の方法。
（項目３９）
前記リスナーが、その割り当てられた、マシンの一組だけを聞く、上記の項目のいずれか１つに記載の方法。
（項目４０）
ＬＩＳへの接続が、参照臨床検査室としてデータを送信するためのものである、上記の項目のいずれか１つに記載の方法。
（項目４１）
ＬＩＳへの接続が、前記ＬＩＳへのゲートウェイを介してデータを送るものである、上記の項目のいずれか１つに記載の方法。
（項目４２）
ＬＩＳへの接続が、前記臨床検査室における認証された  エージェントがそのデータを検査できるように、検査されたデータを臨床検査室に送るものである、上記の項目のいずれか１つに記載の方法。
（項目４３）
接続が、分析器機器からＬＩＳへのものである、上記の項目のいずれか１つに記載の方法。
（項目４４）
接続  が、参照臨床検査室から別の臨床検査室へのものである、上記の項目のいずれか１つに記載の方法。
（項目４５）
接続が、サービスを提供する臨床検査室から、直接医師へのものである、上記の項目のいずれか１つに記載の方法。
（項目４６）
分散された臨床検査室システムのための方法であって、以下を含む方法：
生物学的サンプル処理ユニット及び目的地の臨床検査室において前記機器に接続されたデータベースネットワークの対を検証するために証明書の認証を用いることであって；
前記サンプル処理ユニットから、前記臨床検査室情報システムへの、サンプル処理データのためのデータ経路が、少なくとも１つの広域ネットワークを含む。
（項目４７）
分散された臨床検査室システムのための方法であって、以下を含む方法：
生物学的サンプル処理ユニット及び目的地の臨床検査室において前記機器に接続されたデータベースネットワークの対を検証するために証明書の認証を用いることであって；
前記サンプル処理ユニットから、前記臨床検査室情報システムへの、サンプル処理データのためのデータ経路が、少なくとも１つの広域ネットワークを含み；
前記サンプル処理ユニットがどの場所に配置されているかに無関係に、電子的医療記録システムにおいて利用可能になる前に、結果が前記臨床検査室情報システムに入力されること；
サンプルデータを、前記サンプルデータのヘルス・ネットワーク指定に基づいて検索することであって；前記サーバーは、異なるヘルス・ネットワークからの、複数のサンプルからのサンプルデータを含むこと。
（項目４８）
分散された臨床検査室システムのための方法であって、以下を含む方法：
生物学的サンプル処理ユニット及び目的地の臨床検査室において前記機器に接続されたデータベースネットワークの対を検証するために証明書の認証を用いることであって；
前記サンプル処理ユニットから、前記臨床検査室情報システムへの、サンプル処理データのためのデータ経路が、少なくとも１つの広域ネットワークを含み;
前記サンプル処理ユニットがどの場所に配置されているかに無関係に、電子的医療記録システムにおいて利用可能になる前に、結果が前記臨床検査室情報システムに入力されること;
サンプルデータを、前記サンプルデータに関連付けられた臨床検査室に基づいて検索することであって;  前記サーバーは、異なるヘルス・ネットワークからの、複数のサンプ
ルからのサンプルデータを含む。
（項目４９）
分散された臨床検査室システムのための方法であって、以下を含む方法：
生物学的サンプル処理ユニット及び目的地の臨床検査室において前記機器に接続されたデータベースネットワークの対を検証するために証明書の認証を用いることであって；
前記サンプル処理ユニットから、前記臨床検査室情報システムへの、サンプル処理データのためのデータ経路が、少なくとも１つの広域ネットワークを含み;
前記サンプル処理ユニットがどの場所に配置されているかに無関係に、電子的医療記録システムにおいて利用可能になる前に、結果が前記臨床検査室情報システムに入力されること。
（項目５０）
以下を含む臨床検査室システム：
複数の分散された、サンプル処理ユニットであって、それぞれが、少なくとも１つのコンピュータ・ネットワーク上で通信するための、少なくとも１つのインターフェースを有し；
前記分散されたサンプル処理ユニットにより処理されたサンプルについての試験結果を収集するために構成された臨床検査室情報システム；
サンプル処理データを、前記分散されたサンプル処理ユニットの少なくとも１つからを受け取るためのインターフェースを含むサーバー；
前記サーバーと操作可能に通信状態にあり、及び前記臨床検査室情報システムと操作可能に通信状態にある、プログラム可能なドライブ上のクライアント・アプリケーションであって、それにより前記サーバーが、前記クライアント・アプリケーションと対にされた、それらのサンプル処理ユニットからのみ、サンプル処理データを提供し；
前記クライアント・アプリケーションは、前記サンプル処理ユニットを制御するために、及び１つ以上のサンプル処理ユニットの操作状況を監視するために指示が送られることを可能にし、それにより、前記サンプル処理ユニットを制御し及び監視するために、前記サンプル処理ユニットの認証された監視が、前記クライアント・アプリケーションを介して提供される。
（項目５１）
前記クライアント・アプリケーションが、前記サーバーへの通信を通じて、操作可能に前記分散されたサンプル処理ユニットと、通信状態にある、上記の項目のいずれか１つに記載のシステム。
（項目５２）
サンプル処理ユニットが、データネットワーク上にあり、前記クライアント・アプリケーション及び前記臨床検査室情報システムのローカルにはない、上記の項目のいずれか１つに記載のシステム。
（項目５３）
前記サンプル処理ユニットから、  前記クライアント・アプリケーションへの、サンプル処理データのためのデータ経路が、少なくとも１つの広域ネットワークを含む、上記の項目のいずれか１つに記載のシステム。
（項目５４）
前記クライアント・アプリケーションが、可動式のプログラム可能な機器上で操作可能な、上記の項目のいずれか１つに記載のシステム。
（項目５５）
前記クライアント・アプリケーションが、前記サーバー上のデータベースから、イベント駆動型の方法論に基づいて、データを抽出するために構成される、上記の項目のいずれか１つに記載のシステム。
（項目５６）
前記サンプル処理データが、認証された試験結果を提供するために、前記臨床検査室で分析される、上記の項目のいずれか１つに記載のシステム。
（項目５７）
秘密鍵／公開鍵認証が、機器が適正に対にされていることを検証するために用いられる、上記の項目のいずれか１つに記載のシステム。
（項目５８）
秘密鍵／公開鍵認証が、送信場所から、望ましい受信者の場所までの安全なデータ転送のために用いられる、上記の項目のいずれか１つに記載のシステム。
（項目５９）
サンプル処理データが、前記クライアント・アプリケーションにより復号される、上記の項目のいずれか１つに記載のシステム。
（項目６０）
前記クライアント・アプリケーションが、ユニット操作に関するコマンドを、前記分散された、前記臨床検査室に付随するサンプル処理ユニットに、通信するために操作可能である、上記の項目のいずれか１つに記載のシステム。
（項目６１）
前記クライアント・アプリケーションが、前記分散された、前記臨床検査室に付随するサンプル処理ユニットから、状況情報を受け取る、上記の項目のいずれか１つに記載のシステム。
（項目６２）
臨床検査室情報システムが、サンプルに付随する試験結果を要求し、及び収集するために構成されたコンピュータ・プロセッサを含む、上記の項目のいずれか１つに記載のシステム。
（項目６３）
前記サンプルが、サンプル識別子に基づいて、前記臨床検査室に関連付けられる、上記の項目のいずれか１つに記載のシステム。
（項目６４）
前記クライアント・アプリケーションが、前記ＬＩＳに、前記分散されたサンプル処理ユニットが、前記ＬＩＳと、作動可能に通信状態にあることを通知する、上記の項目のいずれか１つに記載のシステム。
（項目６５）
前記クライアント・アプリケーションが、サンプル処理データを、前記ＬＩＳにより受け入れ可能なファイル形式での試験結果に変換する、上記の項目のいずれか１つに記載のシステム。
（項目６６）
前記クライアント・アプリケーションが、タッチスクリーンを持つパーソナルコンピュータ又は他のユーザーインターフェースを含む、上記の項目のいずれか１つに記載のシステム。
（項目６７）
前記クライアント・アプリケーションが、ソフトウエア・アプリケーションが、携帯電話に接続されたネットワーク上で稼働する、上記の項目のいずれか１つに記載のシステム。
（項目６８）
前記クライアント・アプリケーションが、現場における、分散された、サンプル処理ユニットの状況を監視するために、操作可能である、上記の項目のいずれか１つに記載のシステム。
（項目６９）
前記分散されたサンプル処理ユニットが、前記クライアント・アプリケーションが認証を送信するまで、サンプルが挿入されることを許容しない、上記の項目のいずれか１つに記載のシステム。
（項目７０）
前記クライアント・アプリケーションが、認証された  職員からの認証を送信するか、又は他の実体が、前記サンプル処理ユニット少なくとも１つのを実行することを認証できるまで、前記分散されたサンプル処理ユニットがサンプルが挿入されることを許容しない、上記の項目のいずれか１つに記載のシステム。
（項目７１）
前記分散されたサンプル処理ユニットが遠隔的に前記ＬＩＳ内のクライアント・アプリケーションに制御される、上記の項目のいずれか１つに記載のシステム。
（項目７２）
前記ユニットを稼働する前に、クライアント・アプリケーションが、前記サンプル処理ユニットにアクセス制御をするために、操作可能であり、作動中の機器の状況を示し、及び次いで前記システムが稼働した後にデータ／結果をどのように処理するかを示す、上記の項目のいずれか１つに記載のシステム。
（項目７３）
前記クライアント・アプリケーション作動中のサンプル処理ユニットの状況を示すために、操作可能である、上記の項目のいずれか１つに記載のシステム。
（項目７４）
前記サンプル処理ユニットの１つがサンプルについて、その検査を実行した後に、データをどのように処理するかを決定するために、操作可能である、上記の項目のいずれか１つに記載のシステム。
（項目７５）
サンプル処理ユニットが、それが処理しているサンプルに特異的なプロトコルを受け取り、及びそれがネットワークに接続されている限り、前記サンプル処理ユニットは、前記ＬＩＳとは異なるサーバーからプロトコルをダウンロードする、上記の項目のいずれか１つに記載のシステム。
（項目７６）
以下を含むプログラム可能な機器:
前記機器から少なくとも１つの広域ネットワークにより分離されたサーバーと通信するために構成された、リスナー・アプリケーションであって、前記リスナー・アプリケーションは、前記リスナー・アプリケーションに関連付けられているが、操作可能に少なくとも１つの広域ネットワークにより分離されている、サンプル処理ユニットのための情報を持つデータベースから、サンプル処理データを受け取るために構成される。
（項目７７）
生物学的サンプル処理ユニット及び臨床検査室情報システムを、臨床検査室において、対にするために操作可能な、データ検証アプリケーションを更に含み、それにより前記サンプル処理ユニットからのデータが復号化され、及び臨床検査室情報システム中に保存される、上記の項目のいずれか１つに記載の機器。
（項目７８）
前記サンプル処理ユニットの１つ以上の操作を、コンピュータ・ネットワーク上で、制御するためのコマンドを送信するために構成された、コマンド・アプリケーションを更に含む、上記の項目のいずれか１つに記載の機器。
（項目７９）
少なくとも望ましいサンプルサンプル希釈、及び少なくとも望ましい等分の数を決定するためにプログラムされた、プロセッサを含むシステム。
（項目８０）
前記リスナー・アプリケーションが、この目的地に関連付けられたサンプル処理ユニットについての状況情報も受け取る、上記の項目のいずれか１つに記載の機器。
生物学的サンプル処理  ユニット及び臨床検査室  情報システム  を目的地の臨床検査室において対にするために操作可能なデータ検証  アプリケーションであって、  それにより前記サンプル処理ユニットからのデータが復号化され、及び臨床検査室  情報システム中に保存され;
前記サンプル処理ユニットの１つ以上の操作を、コンピュータ・ネットワーク上で、制御するためのコマンドを送信するために構成された、コマンド・アプリケーション。
（項目８１）
少なくとも望ましいサンプルサンプル希釈、及び少なくとも望ましい等分の数を決定するためにプログラムされた、プロセッサを含むシステム。
（項目８２）
上記のいずれかの項目からの少なくとも任意の１つの技術的特徴を有する方法。
（項目８３）
上記のいずれかの項目からの少なくとも任意の２つの技術的特徴を有する方法。
（項目８４）
上記のいずれかの項目からの少なくとも任意の１つの技術的特徴を有する機器。
（項目８５）
上記のいずれかの項目からの少なくとも任意の２つの技術的特徴を有する機器。
（項目８６）
上記のいずれかの項目からの少なくとも任意の１つの技術的特徴を有するシステム。
（項目８７）
上記のいずれかの項目からの少なくとも任意の２つの技術的特徴を有するシステム。